(57)【要約】      （修正有）【課題】販売時には飲料缶に景品を取付けるために使用されるだけでなく、景品を展示して鑑賞するために使用することが可能なディスプレイ兼用景品保持キャップを提供すること。【解決手段】円柱カップ状に形成されたキャップ本体２の天井部には、天井部の面積よりも一回り小さく形成される透明樹脂製の天井板21がキャップ本体２の内側から接着されており、円筒状とされるキャップ本体２の側壁の内壁下部には飲料缶７の上縁部71と係合されるキャップ係止爪が23設けられており、キャップ本体２の内部には、薄板状の樹脂シートをキャップ本体よりも一回り小さいカップ状に形成して成る内キャップ３がキャップ本体２に対して嵌脱自在に嵌合されており、内キャップ３の天井部の略中央には、景品が収容される景品収容凹部31が設けられており、景品収容凹部と天井板21との間に景品が保持可能とされている。【選択図】図１
0003110131.tif 000002
【実用新案登録請求の範囲】
【請求項１】
飲料缶に景品を取付けるために使用される樹脂製キャップであって、
円柱カップ状に形成されたキャップ本体２の天井部には、天井部の面積よりも一回り小さく形成される透明樹脂製の天井板21が接着されており、
キャップ本体２の円筒状側壁22の内壁下部には飲料缶７の上縁部71と係合されるキャップ係止爪23が設けられており、
キャップ本体２の内部には、薄板状の樹脂シートをキャップ本体よりも一回り小さいカップ状に形成された内キャップ３がキャップ本体２に対して嵌脱自在に嵌合されており、
該内キャップ３の天井部の略中央には、景品５が収容される景品収容凹部31が設けられていることを特徴とするディスプレイ兼用景品保持キャップ。
【請求項２】
請求項１記載のものであって、
前記円筒状側壁22の内壁には、キャップ本体２の軸線に沿って係止リブ24が立設されており、
前記カップ状の内キャップ３の側壁には、前記係止リブ24に係合される溝状の係止凹部32が内キャップの軸線に沿って形成されており、
内キャップの天井部に凹設された品収容凹部31は、品収容凹部31に収容される景品の外形に沿った形状とされており、
該景品収容凹部31の縁部には縁部から内向きに張り出した景品係止部33が形成されていることを特徴とするディスプレイ兼用景品保持キャップ。
【請求項３】
請求項２記載のものであて、
前記係止リブ24が離間して複数本配設されており、
該係止リブ24の下端には、キャップ本体の半径方向内向きに膨出した山形の底蓋係止突起241が形成されており、
キャップ本体２内部には、該底蓋係止突起によってキャップ本体の天井板21と略平行に円盤状の底蓋４が係止されており、
該底蓋４に穿設されるクリップ係止口41には、Ｕ字状の連結クリップ６が係着されてるいことを特徴とするディスプレイ兼用景品保持キャップ。
【考案の詳細な説明】
【技術分野】
【０００１】
本考案は、販売時には飲料缶に景品を取付けるために使用され、販売後には商品の購入者が缶に添付された景品を展示するために使用することが可能な景品保持キャップの構成に関する。
【背景技術】
【０００２】
従来より、飲料缶に景品を添付するために使用される景品保持キャップとして種々の商品が販売されている。
これらの景品保持キャップの構造としては、下記特許文献等に開示されるように、全体形状は３乃至４センチ程度の深さの円柱カップ状に形成されており、キャップの縁部近傍には、飲料缶の上部に係止するためのキャップ係止爪が形成されたものが一般的であった。
これら景品保持キャップの内部には、車や飛行機等の模型や、アニメや漫画に登場するキャラクタのフィギュア人形などの景品が収容されていた。
販売時には、コンビニや駅の売店などで景品保持キャップ内部の景品が見えるように飲料缶が陳列され、消費者の購買欲を刺激するために用いられていた。
【特許文献１】登録実用新案第3051876号公報
【特許文献２】特開平10-305841号公報
【０００３】
また一方では、景品として添付される模型やフィギュアを展示するためのケースとして、下記公報に開示されるような展示ケースが販売されていた。このケースは、アクリル樹脂などの透明な樹脂素材によって形成されており、縦に複数連設される矩形の収容室の内部に物品を入れて展示するものであった。
【特許文献３】意匠登録1200039号公報
【考案の開示】
【考案が解決しようとする課題】
【０００４】
缶から取外されたキャップには有用な用途が存在しなかった。
そのため、多くの場合には、飲み終えた缶と共にゴミとして廃棄されており、資源が無駄に消費されるという問題があった。
また、缶に添付されるフィギュアや模型等の景品を屋内に陳列展示するために販売される小型の展示ケースは比較的高価であり、また、このような展示ケースを購入することのできる販売店は大手ホビーショップ等に限られていたため、多くの消費者にとってこのようなケースを入手することは、あまり容易なことではではなかった。
そのため、蒐集された景品が容器や机の引出しの中に保管されてしまうことが多くなり、結果的に景品を蒐集する楽しさが半減してしまうので、販促目的で商品に景品を添付しても期待されるほどには購買意欲を増進する効果が得られなくなる危惧があった。
そのため、販売時には飲料缶に景品を取付けるために使用でき、販売後には商品の購入者が缶に添付された景品を展示するために使用することができる景品保持キャップが求められていた。
【課題を解決するための手段】
【０００５】
請求項１記載の考案は、
飲料缶に景品を取付けるために使用される樹脂製キャップであって、
円柱カップ状に形成されたキャップ本体２の天井部には、天井部の面積よりも一回り小さく形成される透明樹脂製の天井板21が接着されており、
キャップ本体２の円筒状側壁22の内壁下部には飲料缶７の上縁部71と係合されるキャップ係止爪23が設けられており、
キャップ本体２の内部には、薄板状の樹脂シートをキャップ本体よりも一回り小さいカップ状に形成された内キャップ３がキャップ本体２に対して嵌脱自在に嵌合されており、
該内キャップ３の天井部の略中央には、景品５が収容される景品収容凹部31が設けられていることを特徴とする。
【０００６】
請求項２記載の考案は、
請求項１記載のものであって、
前記円筒状側壁22の内壁には、キャップ本体２の軸線に沿って係止リブ24が立設されており、
前記カップ状の内キャップ３の側壁には、前記係止リブ24に係合される溝状の係止凹部32が内キャップの軸線に沿って形成されており、
内キャップの天井部に凹設された品収容凹部31は、品収容凹部31に収容される景品の外形に沿った形状とされており、
該景品収容凹部31の縁部には縁部から内向きに張り出した景品係止部33が形成されていることを特徴とする。
【０００７】
請求項３記載の考案は、
前記係止リブ24が離間して複数本配設されており、
該係止リブ24の下端には、キャップ本体の半径方向内向きに膨出した山形の底蓋係止突起241が形成されており、
キャップ本体２内部には、該底蓋係止突起によってキャップ本体の天井板21と略平行に円盤状の底蓋４が係止されており、
該底蓋４に穿設されるクリップ係止口41には、Ｕ字状の連結クリップ６が係着されてるいことを特徴とする。
【考案の効果】
【０００８】
本考案は以上説明したような形態で実施され、次のような効果を有する。
【０００９】
請求項１記載の考案によれば、
景品を缶に取付ける場合には、内キャップの景品収容凹部に景品を収めてからキャップ本体の内部に内キャップを嵌合させることにより、景品が景品収容凹部と天井板との間に保持される状態とし、この状態でキャップ本体を飲料缶の上部から押しこむことによりキャップ本体のキャップ係止爪を缶の上縁に係止させて缶に景品を取付けることができる。
この状態で天井板の直下に位置する景品は透明樹脂製の天井板を介して観賞することができるので、購入者が景品を飾る場合には、特段のことをする必要はなく、缶から取外してそのまま任意の場所に配置することで飾ることが可能となる。
【００１０】
請求項２記載の考案によれば、
キャップ本体に嵌合された内キャップは、係止リブと係止凹部が係合することにより、キャップ本体の内部で係止され、回転することが防止される。
景品収容凹部に収められた景品は景品収容凹部の形状が景品の外形に沿って形成されていることに加え、キャップ本体の天井板と内ケースの間に挟持され、上下左右全方向から支持されるので、景品が景品収容凹部の内部で移動したり回転したりすることが防止される。
そのため、商品の輸送中などに振動が加えられても景品の姿勢を収納時のままに維持することが可能となる。
また、景品収容凹部の縁部には設けられる景品係止部によって景品収容凹部の内部に景品が保持されるので、内キャップをキャップ本体に勘合する際に収容凹部から景品が脱落してしまうことが防止される。
【００１１】
請求項３記載の考案によれば、
底蓋によって内キャップが固定されるので、キャップ本体を缶から取外しても、内キャップや内キャップの景品収容凹部に収容される景品がキャップ本体から脱落することが防止される。
また、底蓋のクリップ係止口に係着されるＵ字状の連結クリップを底蓋から取外して、任意に連接される複数のキャップ本体の縁部を連結することにより、キャップ本体を繋げて様々な形状を構成し、複数の景品を展示することが可能となる。
【考案を実施するための最良の形態】
【００１２】
本考案に係る景品保持キャップ１は、飲料缶７に景品５を取付けるために使用される樹脂製キャップであって、次のように構成されている。
円柱カップ状に形成されたキャップ本体２の天井部には、天井部の面積よりも一回り小さく形成される透明樹脂製の天井板21がキャップ本体２の内側から接着されており、円筒状とされるキャップ本体２の内壁部には、キャップ本体の軸線に沿って係止リブ24が離間して複数本配設されており、内壁下部には飲料缶７の上縁部71に係合されるキャップ係止爪23が設けられている。前記係止リブ24の下端には、キャップ本体２の半径方向内側に膨出した山形の底蓋係止突起241が形成されている。
【００１３】
一方、キャップ本体２の内部には、薄板状の樹脂シートをキャップ本体よりも一回り小さいカップ状に成型して成る内キャップ３がキャップ本体２に対して嵌脱自在に収容されている。
この内キャップ３の天井部の略中央、即ち内キャップ３がキャップ本体２の内に組みつけられた際に、キャップ本体２の天井板21と対向する位置に当たる場所には、景品５が収容される景品収容凹部31が設けられていている。この、景品収容凹部31の形状は、景品収容凹部31内に収容される景品５の外形に沿った形状で形成されている。この景品収容凹部31の縁部には、景品係止部としての突起33が縁部から内向きに張り出して形成されている。
さらに、内キャップの側壁には、キャップ本体２の係止リブ24に係合される溝状の係止凹部32が内キャップ３の軸線に沿って離間して複数本配設されている。
【００１４】
また、キャップ本体２の内部には、円盤状の底蓋４が、キャップ本体の天井板21と略平行に前記底蓋係止突起241によってキャップ本体２内部に係止されており、この、底蓋３に穿設されるクリップ係止口41には、Ｕ字状の連結クリップ６が係着されている。
【００１５】
最良の形態は以上説明したように構成され、景品５を缶７に取付ける場合には、次のように行われる。
まず内キャップ３の景品収容凹部31に景品を収めてからキャップ本体２の内部に内キャップ３を嵌合させる。その後キャップ本体２の下方から底蓋４をキャップ本体２の天井板21と略平行に挿入して底蓋４が底蓋係止突起24に係止される状態とすることで内キャップ３をキャップ本体２に係止し、景品５が景品収容凹部31と天井板21との間に保持される状態とする。
この状態でキャップ本体２を飲料缶７の上部から押しこむことにより、キャップ本体２のキャップ係止爪23を飲料缶７の上縁71に係止させる。
【００１６】
すると、キャップ本体２に嵌合された内キャップ３は、係止リブ24と係止凹部32が係合することにより、キャップ本体２の内部で回転することが防止され、底蓋４によってキャップ本体２からの脱落が防止される。
さらに、景品収容凹部31に収められた景品５は、景品収容凹部31の形状が景品５の外形に沿って形成されていることに加え、キャップ本体２の天井板と内ケース３の間に挟持され、上下左右全方向から支持される。これにより、景品収容凹部31の内部で景品５が移動したり回転したりすることが防止されている。
この状態で天井板21の直下に位置する景品５は透明樹脂製の天井板21を介して観賞することができるので、購入者が景品５を飾る場合には、特段のことをする必要はなく、景品保持キャップ１を缶から取外してそのまま任意の場所に配置することで飾ることができる。
さらに、複数の景品５を飾る場合には、底蓋４のクリップ係止口41に係着されるＵ字状の連結クリップ６を底蓋４から取外し、連接して配置されるキャップ本体２の縁部をこの連結クリップによって連結することでキャップ本体２をブロック状に組立てて飾ることもできる。
また、景品５を取り出して飾りたい場合には、指掛け部42に指を掛けて底蓋４を取外してから、内キャップ３をキャップ本体２から取外すことにより、容易に景品５を取り出すことができる。
【実施例】
【００１７】
以下、図面に基づいて本考案に係る実施例を詳細に説明する。
図１は、本実施例に係るディスプレイ兼用景品保持キャップ１の外観および断面構造を示している。
図２は、本実施例に係るディスプレイ兼用景品保持キャップ１を分解した状態を示している。
図１に示されるように、本考案に係る景品保持キャップ１は、飲料缶７に景品５を取付けるために使用される樹脂製キャップであって、飲料缶７に嵌着されるキャップ本体２と、キャップ本体２の内部に嵌着される内キャップ３と、内キャップ３を固定する底蓋から構成されている。
図２に示されるように、不透明樹脂素材で円柱カップ状に形成されるキャップ本体２の天井部には、天井部の面積よりも一回り小さな円形の開口部が形成されており、この開口部には、円盤状に形成される透明樹脂製の天井板21がキャップ本体２の内側から溶着されている。
この天井板21の周囲に形成されるドーナツ状のキャップ本体２の上面は、文字や絵柄が表示される表示部25として使用することができる。本実施例では、成型時に文字部を一段高くすることにより、「ANNIVERSARY CAP COLLECTION」と浮き彫り状に表示されている。
キャップ本体２の円筒状側壁の内壁部には、キャップ本体２の軸線に沿って複数本の係止リブ24が離間して配設されており、この係止リブ24の下端には、キャップ本体２の半径方向内側に膨出した山形の底蓋係止突起241が形成されている。
さらに、この内壁部の下部には飲料缶７の上縁部71に係合される環状のキャップ係止爪23と、小径の飲料缶にキャップ本体２を取付ける際に使用される四つの小径缶用係止爪25が設けられている。
【００１８】
一方、キャップ本体２の内部には、薄板状の樹脂シートをキャップ本体２よりも一回り小さいカップ状に成型して成る内キャップ３がキャップ本体２に対して嵌脱自在に嵌合されている。
この内キャップ３の天井部の略中央部、即ち、内キャップ３がキャップ本体２の内に組みつけられた際に、キャップ本体２の天井板21と対向する位置に当たる場所には、景品としてのフィギュア５が収容される景品収容凹部31が設けられていている。この、景品収容凹部31の外周形状は、景品収容凹部内31に収容されるフィギュア５の外形に合わせて縦長に形成されており、その断面形状は、図３に示されるように、頭部が収納される部分が深く形成される一方、足部が収容される部分が浅く形成されており、フィギュアを景品収容凹部31内に略水平に収容可能とされている。
この景品収容凹部31の縁部には、景品係止部としての一対の突起33が縁部から内向きに張り出して形成されている。
さらに、内キャップ３の側壁には、キャップ本体２の係止リブ24に係合される溝状の係止凹部32が内キャップ３の軸線に沿って離間して複数本配設されている。
【００１９】
図２及び図３に示されるように、内キャップ３の下部には、円盤状の紙製の底蓋４が、キャップ本体２の天井板と略平行に挿入され、前記底蓋係止突起241によって係止されている。
この底蓋４に穿設される矩形のクリップ係止口41には、Ｕ字状の連結クリップ６が係着されている。
【００２０】
実施例に係るディスプレイ兼用景品保持キャップ１は以上説明したように構成され、以下説明するようにして飲料缶７に取付けられる。
景品５を飲料缶７に取付ける場合には、まず内キャップ３の景品収容凹部31に景品を収めてからキャップ本体２の内部に内キャップ３を嵌合させ、その後キャップ本体２の下方から底蓋４をキャップ本体２の天井板と略平行に挿入して底蓋４が底蓋係止突起241に係止される状態とすることで内キャップ３をキャップ本体２に係止させる。
この状態で、景品収容凹部31と天井板21との間に景品５が保持されるので、そのままキャップ本体２を飲料缶７の上部から押しこむことにより、キャップ本体２のキャップ係止爪23を缶の上縁71に係止させてキャップ本体２を飲料缶７に取付けることができる。
【００２１】
以上説明したように取付けを行うと、内キャップ３の係止凹部32がキャップ本体２の係止リブ24に係合されて、内キャップ３がキャップ本体２内部で回転できない状態となる一方、キャップ本体２に取付けられた底蓋４によって内キャップ３の脱落が防止される。
また、内キャップ３の景品収容凹部に収められたフィギュア５は、景品収容凹部31の形状がフィギュア５の外形に沿って形成されていることに加え、キャップ本体２の天井板21と内ケース３の間に挟持されるので、上下左右全方向から支持されることになり、景品収容凹部の内部で移動したり回転したりすることが防止される。
この状態で天井板21の直下に位置するフィギュア５は天井板21を介して観賞することができるので、購入者が景品を飾る場合には、特段のことをする必要はなく、ディスプレイ兼用景品保持キャップ１を缶から取外して、そのまま任意の場所に配置することで飾ることができる。
さらに、複数の景品を飾る場合には、底蓋のクリップ係止口41に係着されるＵ字状の連結クリップ６を底蓋４から取外し、連接して配置されるキャップ本体２の縁部をこの連結クリップによって連結することによりキャップ本体２をブロック状に組立てて飾ることもできる。
たとえば、図４に示すように、横に３つ連結して配置することもできるし、図５に示すように、ピラミッド状に積み重ねて配置することもできる。
また、景品を取り出して飾りたい場合には、底蓋４および内キャップ３をキャップ本体２から取外すことにより、容易に景品を取り出すことができる。
このように、本考案に係る景品保持キャップは、工夫次第で様々な飾り方ができるので、景品を収集する楽しさを倍増させることができる。
【００２２】
なお、本考案に係る景品保持キャップは、前記実施例に限定されるものではなく、以下説明するように応用発展させることもできる。
キャップ本体２は不透明に限らず、半透明や透明の樹脂素材で形成することもできる。
また、内キャップ３と底蓋４との間には、説明書や広告情報などの任意の情報が印刷される印刷物７を収容することもできる。
また、キャップ本体２を連結する手段としては、クリップに限定されるものではなく、各々のキャップ本体２にフックや互いに嵌合される凹凸部等の係止手段を形成して、隣接されるキャップ本体同士を直接連結する構成とすることもできる。
【産業上の利用可能性】
【００２３】
本考案によれば、販売時には飲料缶に景品を取付けるために使用され、販売後には商品の購入者が缶に添付された景品を展示するために使用することが可能な景品保持キャップを提供することができる。
【図面の簡単な説明】
【００２４】
【図１】本実施例に係るディスプレイ兼用景品保持キャップの斜視断面を示す図である。
【図２】本実施例に係るディスプレイ兼用景品保持キャップを分解した状態を示す図である。
【図３】本実施例に係るディスプレイ兼用景品保持キャップの断面図及びキャップ本体の底面図を示す図である。
【図４】本実施例に係るディスプレイ兼用景品保持キャップを一列に連結した状態を示す図である。
【図５】本実施例に係るディスプレイ兼用景品保持キャップをピラミッド状に連結した状態を示す図である。
【符号の説明】
【００２５】
１      景品保持キャップ
２      キャップ本体
３      内キャップ
４      底蓋
５      景品
６      連結クリップ
７      飲料缶
２１    天井板
２３    キャップ係止爪
２４    係止リブ
２５    表示部
３１    景品収容凹部
３２    係止凹部
３３    突起
４１    クリップ係止口
４２    指掛け部
７１    上縁部
２４１  底蓋係止突起
【図１】
0003110131.tif 000003
【図２】
0003110131.tif 000004
【図３】
0003110131.tif 000005
【図４】
0003110131.tif 000006
【図５】
0003110131.tif 000007